(57)【要約】【課題】柱梁接合部がほぞパイプを介して接合された木造架構体から、一部の柱だけを容易に交換しうる柱の付替え工法を提供する。【解決手段】撤去すべき柱１を切断して、梁２側に固定されたほぞパイプ３から抜き取るように取り外し、梁２から突出したほぞパイプ３を柱と梁との突合せ面に揃えて切除し、梁２側に残されたほぞパイプ３の切除端にアンカー部材６を挿入して固定し、そのアンカー部材６にプレート金物７を取り付け、このプレート金物７に挿装可能なスリット１１を予め端部に形成した新たな柱１０を、該スリット１１に沿わせて側方から差し入れつつ梁２との接合位置に建て込み、柱１０の側面にドリフトピン９を打ち込んで柱１０とプレート金物７とを固定する。【選択図】図２
2010053514.tif 000002
【特許請求の範囲】
【請求項１】
木質材からなる柱と梁とがほぞパイプ（３）を介して接合された架構体を有する建物において、その架構体から一部の柱（１）を撤去し、その位置に新たな柱（１０）を取り付ける柱の付替え工法であって、
［工程１］撤去すべき柱（１）を適宜位置で切断し、その柱（１）の端部を、梁（２）側に固定されたほぞパイプ（３）から抜き取るようにして取り外し、
［工程２］梁（２）から突出したほぞパイプ（３）を、柱と梁との突合せ面に揃えて切除し、
［工程３］上記ほぞパイプ（３）の切除端にアンカー部材（６）を挿入して固定し、
［工程４］上記アンカー部材（６）にプレート金物（７）を取り付け、
［工程５］上記プレート金物（７）に挿装可能なスリット（１１）を予め端部に形成した新たな柱（１０）を、該スリット（１１）に沿わせて側方から差し入れつつ梁（２）との接合位置に建て込み、
［工程６］建て込んだ新たな柱（１０）の端部と上記プレート金物（７）とをドリフトピンで固定する、
ことを特徴とする柱の付替え工法。
【発明の詳細な説明】
【技術分野】
【０００１】
本発明は、木造家屋等において、補修や改築、設計変更等の事情により、一部の柱梁接合部を一旦、解体して柱を取り外し、同位置に再度、新たな柱を建て込む柱の付替え工法に関する。
【背景技術】
【０００２】
木質材からなる柱や梁を組み合わせて架構体が構築される木造家屋等においては、架構体の剛性を高めるため、柱梁接合部を様々な金物で補強している。かかる金物類のうち、とくに長年にわたって広く利用されているのは、特許文献１に開示されているような円筒パイプ状の金物（いわゆる「ほぞパイプ」）と、ドリフトピンやボルトナットとを組み合わせたものである。例えば、管柱の柱頭に、梁を梁勝ち接合する部位においては、柱頭の端面に穿設した円筒形状のほぞ穴に、ほぞパイプの下半部を挿入して柱の側面からドリフトピンで固定し、梁の底面に穿設した円筒形状のほぞ孔に、ほぞパイプの上半部を挿入して梁の側面からドリフトピンで固定する、というのが基本的な接合形態である。
【特許文献１】特開平８−３０２８１６号公報
【発明の開示】
【発明が解決しようとする課題】
【０００３】
通常の建方（躯体工事）では、下層階から上層階へと順に柱や梁を組み上げていく。この工程の途中で、不測の事故等により柱を汚損してしまう場合があり、汚損の程度が激しければ柱を交換する必要が生じる。柱が、あらわし仕上げとする化粧柱であれば、少しの汚れや傷でも交換しなければならない。特に、基材の側面に化粧材を貼った化粧柱は、基材と化粧材との挙動のズレによって化粧材が剥がれたり割れたりしやすいので、交換を要するケースも増えてしまう。
【０００４】
しかしながら、ほぞパイプを介して梁に接合された柱を交換するとなると、柱をほぞパイプの軸方向に抜き取って、また挿し込まなければならない。柱頭と柱脚の両方が梁や土台に接合されていて、上層階まで建方が進んでいる場合、上記のようにして柱だけを抜き取り、また挿し込む作業は、実質的に不可能である。したがって、下層階の柱を交換するとなると、梁も含めた大がかりな建方のやり直しが必要になる。
【０００５】
また、既存建物の補修や改築に際して、劣化した一部の柱だけを交換したり、強度を高めるために大断面の柱に取り替えたりしたい場合もある。この場合も、既存の柱と梁とがほぞパイプを介して接合されていると、柱だけの交換は非常に困難である。撤去する古い柱は、柱を切断してしまえば取り外せるが、柱脚部分と柱頭部分に梁側からほぞパイプが突出していると、そこには新しい柱を挿し込めないからである。
【０００６】
ほぞパイプを梁からも抜き取ってしまい、別形態の補強金物を用いて、梁と新しい柱とを接合する工法も考えられる。しかし、梁側に挿し込まれたほぞパイプを介して、さらに上層階の柱や他の直交梁等が一緒に連結されている場合もあり、このような構造のほぞパイプは容易には抜き取れない。
【０００７】
本発明は上記のような事情に鑑みてなされたもので、新築・既設を問わず、柱梁接合部がほぞパイプを介して接合された架構体を有する木造家屋等において、柱だけを容易に交換しうる柱の付替え工法を提供するものである。
【課題を解決するための手段】
【０００８】
上記目的を達成するため、本発明の柱の付替え工法は、木質材からなる柱と梁とがほぞパイプ（３）を介して接合された架構体を有する建物において、その架構体から一部の柱（１）を撤去し、その位置に新たな柱（１０）を取り付ける柱の付替え工法であって、
［工程１］撤去すべき柱（１）を適宜位置で切断し、その柱（１）の端部を、梁（２）側に固定されたほぞパイプ（３）から抜き取るようにして取り外し、
［工程２］梁（２）から突出したほぞパイプ（３）を、柱と梁との突合せ面に揃えて切除し、
［工程３］上記ほぞパイプ（３）の切除端にアンカー部材（６）を挿入して固定し、
［工程４］上記アンカー部材（６）にプレート金物（７）を取り付け、
［工程５］上記プレート金物（７）に挿装可能なスリット（１１）を予め端部に形成した新たな柱（１０）を、該スリット（１１）に沿わせて側方から差し入れつつ梁（２）との接合位置に建て込み、
［工程６］建て込んだ新たな柱（１０）の端部と上記プレート金物（７）とをドリフトピンで固定する、
ことを特徴とする。
【発明の効果】
【０００９】
上述のように構成される本発明の柱の付替え工法は、柱と梁とを接合していたほぞパイプのうち梁側に挿入されていた部分は残したまま、柱に挿入されていた部分を切除してプレート金物を後付けし、そのプレート金物を介して柱を接合するものである。上下の梁からほぞパイプが突出した状態では、その間に新たな柱を建て込むことができないが、ほぞパイプの突出部分をプレート金物に取り替え、新たな柱の端部にはスリットを形成して側方から差し入れることにより、梁側には特に手を加えずとも、新たな柱の建て込みが可能になる。
【００１０】
この付替え工法を利用すれば、建方途中でのトラブルや、既存建物の補修、改築等によって柱の交換が必要になっても、架構体の他の部分には影響を及ぼさずに、柱だけを無理なく付け替えることができる。柱と梁との接合部位に、同じほぞパイプを介して、さらに他の直交梁等が接合されている部位であっても、柱を接合する金物が付け替えられるだけで、梁同士の接合構造は、そのまま維持することができる。
【００１１】
このような利点を有する本発明は、建物の長期的な維持管理を容易にし、建物の有効利用を促進する。よって、資源やエネルギーの保護にも大いに寄与する。
【発明を実施するための最良の形態】
【００１２】
以下、本発明の実施形態について図を参照して説明する。図１、図２は、本発明の実施形態を工程順に説明する部分斜視図である。
【００１３】
例示の部位は、略正方形断面の木材からなる柱１の頭部に、略長方形断面の木材からなる梁２が、柱１に対して梁勝ちとなるように接合された部位である。［施工前］の図に示すように、柱１と梁２とは、円筒形状をなす１本のほぞパイプ３と、数本のドリフトピン４、５とを利用して接合されている。ほぞパイプ３は、その下半部が、柱１の端面に開口する円筒形状のほぞ穴に挿入され、柱１の側面から打込まれるドリフトピン５を介して柱１側に連結されている。また、ほぞパイプ３の上半部は、梁２の底面に開口する円筒形状のほぞ孔に挿入され、梁２の側面から打込まれるドリフトピン３を介して梁２側に連結されている。これが柱を交換する前の状態である。
【００１４】
柱の交換に際しては、まず撤去すべき柱１を適当な位置で切断し、柱１の端部に打ち込まれているドリフトピン５を抜き取る。そして、［工程１］の図に示すように、柱１の端部を、梁２側に固定されたほぞパイプ３から抜き取るようにして材軸方向に取り外す。
【００１５】
柱１が取り外されると、柱１の端部に挿入されていたほぞパイプ３の下半部が梁２から突出した状態になる。ここで［工程２］の図に示すように、ほぞパイプ３の下半部を、梁の下面に揃えて切除する。この切除作業には、ディスクグラインダその他の適当な切断工具を使用する。
【００１６】
次いで、［工程３］の図に示すように、梁２側に残されたほぞパイプ３の切除端にアンカー部材６を挿入して固定する。このアンカー部材６は、例えば、外形が略筒状で内側には雌ネジが形成されたアンカープラグのような部材である。このアンカー部材６をほぞパイプ３の切除端に挿入し、内側から拡径嵌合させるか、接着剤や溶接など適宜の固着手段を用いて、アンカー部材６とほぞパイプ３とを一体に結合する。あるいは、アンカー部材６の外側とほぞパイプ３の内側とにネジを切って螺合締結させてもよい。
【００１７】
そして、［工程４ａ］、［工程４ｂ］の図に示すように、このアンカー部材６にプレート金物７を取り付ける。例示のプレート金物７は、略矩形の底帯板７１と、底帯板７１の対向する側縁から底帯板７１と直交するように延設された一対の連結プレート７２、７２とを有している。底帯板７１は梁２の下面に当てがわれ、底帯板７１に形成されたボルト挿通孔７３に適宜のボルト部材８を挿通してアンカー部材６に螺合させることにより、プレート金物７が梁２側に固定される。連結プレート７２には、ピン挿通孔７４が数個ずつ形成されている。
【００１８】
一方、新たに取り付けられる柱１０の端部には、上記プレート金物７に挿装可能なスリット１１が予め形成される。例示形態では２ヶ所の平行なスリット１１が、柱１０の端面と、相対する２側面とに開口している。また、スリット１１と直交する方向に柱１０の端部を貫通するピン打込孔１２も予め形成される。このピン打込孔１２の位置は、連結プレート７２に形成されたピン挿通孔７４の位置と合致している。
【００１９】
そして、［工程５−６］の図に示すように、この新たな柱１０を、連結プレート７２とスリット１１との挿装方向に沿って側方から差し入れつつ、梁２との接合位置に建て込む。新たな柱１０が所定の位置に建て込まれたならば、柱１０の側面からドリフトピン９を打ち込んで、柱１０とプレート金物７とを連結する。これで、柱の付替えは完了である。なお、図示したのは柱頭部分であるが、柱脚部分も同様である。
【００２０】
このように、古い柱１の撤去によって梁２側に残されたほぞパイプ３の突出部分を切除してプレート金物７を後付けし、そのプレート金物７に合致するスリット１１を形成した新しい柱１０を側方から差し入れることにより、梁２側には特に手を加えることなく、新たな柱１０を容易に建て込むことができる。また、ほぞパイプ３を切除して後付けされるプレート金物７は、ほぞパイプ３に比べて部材同士の連結強度に優れるので、例えば耐震補強を目的として老朽化した柱を交換するようなリフォームにも好適である。
【００２１】
なお、本発明におけるプレート金物は、図示した形態に限らず、例えば連結プレートが特殊な形状を有するものであってもよい。また、連結プレートが１枚で、その辺縁一ヶ所に形成されたボルト部材を直接、アンカー部材に螺合させるような構成も可能である。アンカー部材についても、ほぞパイプの切除端にプレート金物を現場で容易に結合しうるものであれば、特にその詳細な構成は問わない。
【図面の簡単な説明】
【００２２】
【図１】本発明に係る柱の付替え工法の略前半を説明する部分斜視図である。
【図２】同じく、柱の付替え工法の略後半を説明する部分斜視図である。
【符号の説明】
【００２３】
１  撤去される柱
２  梁
３  ほぞパイプ
４  ドリフトピン
５  ドリフトピン
６  アンカー部材
７  プレート金物
８  ボルト部材
９  ドリフトピン
１０  新たな柱
１１  スリット
【図１】
2010053514.tif 000003
【図２】
2010053514.tif 000004